(57)【要約】      （修正有）【課題】傘を室内や車内に持ち込むときに、雨水が傘布からドリッピングせず、十分な空間を有さなくても、傘布を良く折畳み可能であり、傘布を折畳む過程中に、ユーザが雨に降られることがない逆折り式傘を提供する。【解決手段】主ロッド１０と、主ロッドに嵌め設けられており、展開位置と折畳み位置との間にスライド可能なスライドブッシュと、その中央がスライドブッシュに固定されている第１傘布と、その中央が主ロッドの上端に固定されている第２傘布４０と、スライドブッシュに連接されており、第１傘布と第２傘布との間に位置する傘骨本体と、を含み、スライドブッシュが展開位置に位置するときには、傘骨本体が主ロッドの底端１２に向くように展開し、第１傘布と第２傘布とが展開され、スライドブッシュが折畳み位置に位置するときには、傘骨本体が主ロッドの上端１１に向くように折畳まれ、第１傘布と第２傘布とが折畳まれる。【選択図】図１
0003200570.tif 000002
【実用新案登録請求の範囲】
【請求項１】
主ロッドと、
前記主ロッドに嵌め設けられており、展開位置と折畳み位置との間にスライド可能なスライドブッシュと、
その中央が前記スライドブッシュに固定されている第１傘布と、
その中央が前記主ロッドの上端に固定されている第２傘布と、
前記スライドブッシュに連接されており、前記第１傘布と前記第２傘布との間に位置する傘骨本体と、を含み、
前記スライドブッシュが前記展開位置に位置するときには、前記傘骨本体が前記主ロッドの底端に向くように展開し、前記第１傘布と前記第２傘布とが展開され、前記スライドブッシュが前記折畳み位置に位置するときには、前記傘骨本体が前記主ロッドの上端に向くように折畳まれ、前記第１傘布と前記第２傘布とが折畳まれることを特徴とする、
逆折り式傘。
【請求項２】
前記傘骨本体は複数の傘骨を有し、複数の前記傘骨は、前記第１傘布と前記第２傘布との間に環設されており、第１折りロッドと第２折りロッドとをそれぞれ有し、前記各第１折りロッドは、一端が前記スライドブッシュに枢着されており、他端が前記第１傘布と前記第２傘布とのエッジに連接されており、前記各第２折りロッドは、一端が前記主ロッドの上端に枢着されており、他端が前記各第１折りロッドの中段にそれぞれ枢着されていることを特徴とする、請求項１に記載の逆折り式傘。
【請求項３】
前記スライドブッシュは、前記主ロッドの上端に向く連接端と、前記主ロッドの底端に向く握り端と、を有し、前記第１傘布の中央が前記連接端に固定されており、前記各第１折りロッドは、枢着端と、固定端と、前記枢着端と前記固定端との間に設けられている枢着部と、を有し、前記各枢着端は前記連接端に枢着されており、前記各固定端は、前記第１傘布と前記第２傘布とのエッジに連接されており、前記各枢着部に前記各第２折りロッドがそれぞれ枢着されていることを特徴とする、請求項２に記載の逆折り式傘。
【請求項４】
前記各枢着部から前記各枢着端までの距離は、前記各枢着部から前記各固定端までの距離より小さいことを特徴とする、請求項３に記載の逆折り式傘。
【請求項５】
前記各第１折りロッドは、少なくとも一つの第１連接部と、少なくとも一つの第２連接部と、を有し、前記第１連接部と前記第２連接部とは、前記各枢着端と前記各固定端との間に位置し、それぞれ前記第１傘布と前記第２傘布とに連接されていることを特徴とする、請求項３に記載の逆折り式傘。
【考案の詳細な説明】
【技術分野】
【０００１】
本考案は、傘に関し、特に、傘布が下から上へ折畳まれることにより、傘布に付着する雨のドリッピングを防止可能な逆折り式傘に関するものである。
【背景技術】
【０００２】
傘は、日常生活の不可欠なものの一つであり、陽光を遮断し、又は雨を遮る効果がある。しかし、市販されている傘は、収納時に傘布を上から下へ折畳むため、雨水が付着している傘布が外側に面する。これにより、このような傘を室内や車内に持ち込むと、雨水が傘布からドリッピングする問題があった。
【０００３】
収納時に傘布を上から下へ折畳むため、ユーザが室内や車内に入りたいときには、傘布の折畳み方向がユーザに向く。これにより、十分な空間を有しないと、傘布を良く折畳むことができず、傘布を折畳む過程中に、ユーザが雨に降られやすい。
【考案の概要】
【考案が解決しようとする課題】
【０００４】
本考案の目的は、傘を室内や車内に持ち込むときに、雨水が傘布からドリッピングせず、十分な空間を有さなくても、傘布を良く折畳み可能であり、傘布を折畳む過程中に、ユーザが雨に降られることがない逆折り式傘を提供することにある。
【課題を解決するための手段】
【０００５】
本考案の逆折り式傘は、主ロッドと、主ロッドに嵌め設けられており、展開位置と折畳み位置との間にスライド可能なスライドブッシュと、その中央がスライドブッシュに固定されている第１傘布と、その中央が主ロッドの上端に固定されている第２傘布と、スライドブッシュに連接されており、第１傘布と第２傘布との間に位置する傘骨本体と、を含み、スライドブッシュが展開位置に位置するときには、傘骨本体が主ロッドの底端に向くように展開し、第１傘布と第２傘布とが展開され、スライドブッシュが折畳み位置に位置するときには、傘骨本体が主ロッドの上端に向くように折畳まれ、第１傘布と第２傘布とが折畳まれることを特徴とする。
【０００６】
本考案の逆折り式傘は、傘骨本体は複数の傘骨を有し、複数の傘骨は、第１傘布と第２傘布との間に環設されており、第１折りロッドと第２折りロッドとをそれぞれ有し、各第１折りロッドは、一端がスライドブッシュに枢着されており、他端が第１傘布と第２傘布とのエッジに連接されており、各第２折りロッドは、一端が主ロッドの上端に枢着されており、他端が各第１折りロッドの中段にそれぞれ枢着されていることを特徴とする。
【０００７】
本考案の逆折り式傘は、スライドブッシュは、主ロッドの上端に向く連接端と、主ロッドの底端に向く握り端と、を有し、第１傘布の中央が連接端に固定されており、各第１折りロッドは、枢着端と、固定端と、枢着端と固定端との間に設けられている枢着部と、を有し、各枢着端は連接端に枢着されており、各固定端は、第１傘布と第２傘布とのエッジに連接されており、各枢着部に各第２折りロッドがそれぞれ枢着されていることを特徴とする。
【０００８】
本考案の逆折り式傘は、各枢着部から各枢着端までの距離は、各枢着部から各固定端までの距離よりやや小さいことを特徴とする。
【０００９】
本考案の逆折り式傘は、各第１折りロッドは、少なくとも一つの第１連接部と、少なくとも一つの第２連接部と、を有し、第１連接部と第２連接部とは、各枢着端と各固定端との間に位置し、それぞれ第１傘布と第２傘布とに連接されていることを特徴とする。
【考案の効果】
【００１０】
本考案の逆折り式傘によれば、次のような効果がある。
（１）スライドブッシュを展開位置から折畳み位置にスライドしているときには、各第１折りロッドと各第２折りロッドとが連動して作動することにより、傘骨本体が主ロッドの上端へ折畳まれて、第１傘布と第２傘布とが折畳まれる。このとき、第１傘布と第２傘布とが下から上へ折畳まれるため、雨水が付着している第２傘布が第１傘布内に位置する。これにより、第２傘布に付着している雨水のドリッピングを防止可能である。よって、傘を室内や車内に持ち込むときに、雨水が傘布からドリッピングしない。
【００１１】
（２）収納時に傘布を下から上へ折畳むため、ユーザが室内や車内に入りたいときには、傘布の折畳み方向がユーザから離れる方向に向く。これにより、十分な空間を有さなくても、傘布を良く折畳むことが可能であり、傘布を折畳む過程中に、ユーザが雨に降られることがない。
【００１２】
（３）第１傘布と第２傘布とから構成される二層傘布を有するため、従来のものより、防水効果が更に良くなる。
【図面の簡単な説明】
【００１３】
【図１】本考案の一実施形態に係る逆折り式傘を示す外観図であって、スライドブッシュが展開位置に位置することを示す。
【図２】図１を別の視点から見た図である。
【図３】本考案の一実施形態に係る第２傘布が主ロッドから取り外された状態を示す外観図である。
【図４】本考案の一実施形態に係る主ロッド、スライドブッシュ及び傘骨本体を示す斜視図である。
【図５】本考案の一実施形態に係るスライドブッシュが展開位置に位置する状態を示す図である。
【図６】本考案の一実施形態に係る逆折り式傘を示す外観図であって、スライドブッシュが折畳み位置に位置することを示す。
【図７】本考案の一実施形態に係るスライドブッシュが折畳み位置に位置する状態を示す図である。
【考案を実施するための形態】
【００１４】
以下、本考案の実施の形態を図面に基づいて説明する。
【００１５】
図１から図７を参照する。図１は、本考案の一実施形態に係る逆折り式傘を示す外観図であって、スライドブッシュが展開位置に位置することを示し、図２は図１の別の視点から見た図であり、図３は本考案の一実施形態に係る第２傘布が主ロッドから取り外された状態を示す外観図であり、図４は、本考案の一実施形態に係る主ロッド、スライドブッシュ及び傘骨本体を示す斜視図であり、図５は本考案の一実施形態に係るスライドブッシュが展開位置に位置する状態を示す図であり、図６は、本考案の一実施形態に係る逆折り式傘を示す外観図であって、スライドブッシュが折畳み位置に位置することを示し、図７は本考案の一実施形態に係るスライドブッシュが折畳み位置に位置する状態を示す図である。
本実施形態に係る逆折り式傘１００は、主ロッド１０と、スライドブッシュ２０と、第１傘布３０と、第２傘布４０と、傘骨本体８０と、を含む。
【００１６】
主ロッド１０は、上端１１と、底端１２と、を有する。底端１２にハンドル１３が設けられている。
【００１７】
スライドブッシュ２０は、主ロッド１０に嵌め設けられており、展開位置と折畳み位置との間にスライド可能である。前記展開位置は主ロッド１０の上端１１に近接する。前記折畳み位置は主ロッド１０の底端１２に近接する。スライドブッシュ２０は、主ロッド１０の上端１１に向く連接端２１と、主ロッド１０の底端１２に向く握り端２２と、を有する。
【００１８】
第１傘布３０は、図２に示すように、その中央がスライドブッシュ２０の連接端２１に固定されている。第１傘布３０の主ロッド１０の底端１２に近接する箇所では、拘束帯３１が設けられている。
【００１９】
第２傘布４０は、その中央が主ロッド１０の上端１１に固定されている。
【００２０】
傘骨本体８０は、スライドブッシュ２０に連接されており、第１傘布３０と第２傘布４０との間に位置する。本実施形態では、傘骨本体８０が複数の傘骨５０を有する。複数の傘骨５０は、第１傘布３０と第２傘布４０との間に環設されており、第１折りロッド６０と第２折りロッド７０とをそれぞれ有する。
【００２１】
各第１折りロッド６０は、枢着端６１と、固定端６２と、枢着端６１と固定端６２との間に設けられている枢着部６３と、を有する。各枢着端６１は、スライドブッシュ２０の連接端２１に枢着されている。各固定端６２は、第１傘布３０と第２傘布４０とのエッジに連接されており、その連接方式は縫合方式を採用することが好ましい。各枢着部６３から各枢着端６１までの距離は、各枢着部６３から各固定端６２までの距離よりやや小さい。各第２折りロッド７０は、一端が主ロッド１０の上端１１に枢着されており、他端が枢着部６３に枢着されている。
【００２２】
一方、各第１折りロッド６０は、少なくとも一つの第１連接部６４と、少なくとも一つの第２連接部６５と、を有する。第１連接部６４と第２連接部６５とは、各枢着端６１と各固定端６２との間に位置し、それぞれ第１傘布３０と第２傘布４０とに連接されており、その連接方式は縫合方式を採用することが好ましい。
【００２３】
本実施形態では、図５に示すように、各第１折りロッド６０が三つの第１連接部６４を有し、そのうちの二つの第１連接部６４が各枢着部６３と各固定端６２との間に位置し、残りの第１連接部６４が各枢着部６３と各枢着端６１との間に位置する。そして各第１折りロッド６０が一つの第２連接部６５を有し、第２連接部６５は、各枢着部６３と各固定端６２との間に位置し、且つ二つの第１連接部６４の間に位置する。
【００２４】
スライドブッシュ２０を折畳み位置から展開位置にスライドしているときには、各第１折りロッド６０と各第２折りロッド７０とが連動されて作動することにより、傘骨本体８０が主ロッド１０の底端１２へ展開する。このとき、第１傘布３０と第２傘布４０とが展開されるため、図１及び図５に示すように、第２傘布４０が外側に面し、第１傘布３０が内側に面するため、雨が降っているときに、雨水が第２傘布４０の表面に落下する。
【００２５】
スライドブッシュ２０を展開位置から折畳み位置にスライドしているときには、図６及び図７に示すように、各第１折りロッド６０と各第２折りロッド７０とが連動して作動することにより、傘骨本体８０が主ロッド１０の上端１１へ折畳まれて、第１傘布３０と第２傘布４０とが折畳まれる。このとき、第１傘布３０と第２傘布４０とが下から上へ折畳まれるため、雨水が付着している第２傘布４０が第１傘布３０内に位置する。これにより、第２傘布４０に付着している雨水のドリッピングを防止可能である。この後、逆折り式傘１００全体を回転して、拘束帯３１により第１傘布３０を拘束可能である。
【００２６】
これにより、本実施形態に係る逆折り式傘１００は、第１傘布３０と第２傘布４０とが下から上へ折畳まれるため、雨水が付着している逆折り式傘１００を室内や車内に持ち込むときに、雨水が第２傘布４０からドリッピングしない。
【００２７】
一方、第１傘布３０と第２傘布４０とが下から上へ折畳まれるため、雨水が付着している逆折り式傘１００を室内や車内に持ち込むときに、第１傘布３０と第２傘布４０とがユーザから離れる方向へ折畳まれることにより、十分な空間を有さなくても、傘布を良く折畳むことが可能である。そして傘布を折畳む過程中に、ユーザが雨に降られることはない。
【００２８】
本実施形態に係る逆折り式傘１００は、第１傘布３０と第２傘布４０とから構成される二層傘布を有するため、従来のものより、防水効果が更に良くなる。
【００２９】
なお、本考案は前記実施の形態に限定されるものではなく、本考案の趣旨に基づいて種々変形させることが可能であり、それらを本考案の実用新案登録請求の範囲から排除するものではない。
【００３０】
本考案は、傘に適用することができる。
【符号の説明】
【００３１】
１０    主ロッド
１１    上端
１２    底端
１３    ハンドル
２０    スライドブッシュ
２１    連接端
２２    握り端
３０    第１傘布
３１    拘束帯
４０    第２傘布
５０    傘骨
６０    第１折りロッド
６１    枢着端
６２    固定端
６３    枢着部
６４    第１連接部
６５    第２連接部
７０    第２折りロッド
８０    傘骨本体
１００  逆折り式傘
【図１】
0003200570.tif 000003
【図２】
0003200570.tif 000004
【図３】
0003200570.tif 000005
【図４】
0003200570.tif 000006
【図５】
0003200570.tif 000007
【図６】
0003200570.tif 000008
【図７】
0003200570.tif 000009